(57)【特許請求の範囲】
【請求項１】
額縁のフレームと、
前記フレームを含む外装部材の内外で空気を循環させるための開口であって、使用状態において前記額縁を正面から見たときに隠れる位置に形成された吸気口及び排気口を含む開口と、
前記フレーム内において、視覚コンテンツが形成されたシート状の作品、又はフラットパネルディスプレイを取り外し可能に支持する支持体と、
前記作品又は前記フラットパネルディスプレイの正面側において支持される光触媒パネルと、
前記光触媒パネルに光触媒効果を発揮させる光を照射する光源と、
前記作品又は前記フラットパネルディスプレイの背面に相当する位置に配置された送風機であって、前記吸気口から前記排気口まで前記フレームの内側かつ前記作品又は前記フラットパネルディスプレイの背面側から当該作品又は当該フラットパネルディスプレイの正面側を循環させる経路に沿って空気を流すための送風機と
を有する展示用額縁。
【請求項２】
前記吸気口及び前記排気口がいずれも、前記フレームにおいて前記光触媒パネルよりも正面側に形成される
請求項１に記載の展示用額縁。
【請求項３】
前記吸気口及び前記排気口が、前記フレームと前記支持体との空隙により形成される
請求項２に記載の展示用額縁。
【請求項４】
前記吸気口が前記送風機の近傍に形成され、前記排気口が前記フレームにおいて前記光触媒パネルよりも背面側に形成される
請求項１に記載の展示用額縁。
【請求項５】
前記排気口が前記フレームの上面、下面、又は側面に形成される
請求項４に記載の展示用額縁。
【請求項６】
前記フレーム内において前記支持体により支持される前記作品と、
前記作品の背面に形成される光触媒層と
を有する請求項１乃至５のいずれか一項に記載の展示用額縁。
【請求項７】
前記作品が、炭酸カルシウムベースの材料で形成されたシート上に形成される
を有する請求項６に記載の展示用額縁。
【請求項８】
前記支持体が前記フラットパネルディスプレイを支持し、
前記フレームの内周面のうち、前記フラットパネルディスプレイの表示面と対向する位置に形成された光触媒層を有する
請求項１乃至７のいずれか一項に記載の展示用額縁。
【請求項９】
請求項１乃至８のいずれか一項に記載の展示用額縁と、
前記展示用額縁を収容する筐体と
を有する展示設備。
【請求項１０】
前記筐体に設けられた、消毒液噴霧装置を有する
請求項９に記載の展示設備。
【発明の詳細な説明】
【技術分野】
【０００１】
本発明は、額縁及び展示設備に関する。
【背景技術】
【０００２】
空気清浄作用を有する額縁が知られている。例えば特許文献１は、空気浄化装置１を用いた額縁５を開示している（特に図１参照）。例えば特許文献２は、光触媒層２を有する額縁構造１を開示している（特に図１参照）。例えば特許文献３は、光触媒効果を有する触媒膜４、触媒膜４の表面を通る経路に沿って空気を流すための送風機５、画框１を含む外装部材の内外で空気を循環させるための開口を有する額縁を開示している。例えば特許文献４は、筐体７の内側かつ光触媒１の表面を通る経路に沿って空気を流すための送風機と、筐体７の内外で空気を循環させるための吸気口１４及び排気口１１とを有する、液晶パネル６を筐体７内部に設置した液晶表示装置２３を開示している。
【先行技術文献】
【特許文献】
【０００３】
【特許文献１】特開２０１９−１７１３１４号公報
【特許文献２】特開２０１５−１１６２１０号公報
【特許文献３】中国特許出願公開第１０８１２９９６３号明細書
【特許文献４】特開２００８−２７２０３２号公報
【発明の概要】
【発明が解決しようとする課題】
【０００４】
特許文献１及び２に記載の額縁においては、空気清浄作用に改善の余地があった。特許文献３に記載の額縁及び液晶表示装置においては、作品を展示する用に供するための外観を保ちつつ空気の循環経路をより長くする点に課題があった。
【０００５】
これに対し本発明は、作品を展示する用に供するための外観を保ちつつ空気の循環経路をより長くすることができる額縁を提供する。
【課題を解決するための手段】
【０００６】
本発明は、額縁のフレームと、前記フレームを含む外装部材の内外で空気を循環させるための開口であって、使用状態において前記額縁を正面から見たときに隠れる位置に形成された吸気口及び排気口を含む開口と、前記フレーム内において、視覚コンテンツが形成されたシート状の作品、又はフラットパネルディスプレイを取り外し可能に支持する支持体と、前記作品又は前記フラットパネルディスプレイの正面側において支持される光触媒パネルと、前記光触媒パネルに光触媒効果を発揮させる光を照射する光源と、前記作品又は前記フラットパネルディスプレイの背面に相当する位置に配置された送風機であって、前記吸気口から前記排気口まで前記フレームの内側かつ前記作品又は前記フラットパネルディスプレイの背面側から当該作品又は当該フラットパネルディスプレイの正面側を循環させる経路に沿って空気を流すための送風機とを有する展示用額縁を提供する。
【０００７】
前記吸気口及び前記排気口がいずれも、前記フレームにおいて前記光触媒パネルよりも正面側に形成されてもよい。
【０００８】
前記吸気口及び前記排気口が、前記フレームと前記支持体との空隙により形成されてもよい。
【０００９】
前記吸気口が前記送風機の近傍に形成され、前記排気口が前記フレームにおいて前記光触媒パネルよりも背面側に形成されてもよい。
【００１０】
前記排気口が前記フレームの上面、下面、又は側面に形成されてもよい。
【００１１】
この展示用額縁は、前記フレーム内において前記支持体により支持される前記作品と、前記作品の背面に形成される光触媒層とを有してもよい。
【００１２】
前記作品が、炭酸カルシウムベースの材料で形成されたシート上に形成されてもよい。
【００１３】
前記支持体が前記フラットパネルディスプレイを支持し、前記フレームの内周面のうち、前記フラットパネルディスプレイの表示面と対向する位置に形成された光触媒層を有してもよい。
【００１４】
また、本発明は、上記いずれかに記載の展示用額縁と、前記展示用額縁を収容する筐体とを有する展示設備を提供する。
【００１５】
この展示設備は、前記筐体に設けられた、消毒液噴霧装置を有してもよい。
【発明の効果】
【００１６】
本発明によれば、額縁における空気清浄作用を改善することができる。
【図面の簡単な説明】
【００１７】
【図１】第１実施形態に係る額縁１の外観を例示する図。
【図２】額縁１の断面構造を例示する図。
【図３】開口１７及び開口１８の配置を例示する模式図。
【図４】第２実施形態に係る額縁２の断面構造を例示する図。
【図５】開口２８の配置を例示する模式図。
【図６】第３実施形態に係る展示設備３の外観を例示する図。
【発明を実施するための形態】
【００１８】
近年、除菌又は殺菌への関心が高まっている。除菌又は殺菌のため、例えば建物の天井、床、又は内壁に光触媒層をコーティングする技術が知られている。しかし、建物の構造に直接コーティングをするのでは部屋ごとに施工が必要なため気軽に導入できないという問題がある。本発明は、このような問題に対し、除菌又は殺菌機能を有する構造物をより気軽に導入するための技術を提供する。
【００１９】
１．第１実施形態
図１は、第１実施形態に係る額縁１の外観を例示する図である。額縁１は、作品９（図１では略）を展示目的で収容するための構造体、すなわち展示用額縁である。作品９は、絵画（西洋絵画、浮世絵等）等の視覚コンテンツが形成されたシート状の物体である。額縁１は、フレーム１１及びパネル１２を有する。フレーム１１は、パネル１２及び作品９を取り外し可能に支持する構造体である。フレーム１１は、金属、樹脂、木材、又はこれらの複合材料により形成される。パネル１２は、作品９を視認できる状態で保護する構造体である。パネル１２は光を透過する材料、例えばガラス又は樹脂で形成される。この例においてパネル１２は光触媒ガラスである（光触媒パネルの一例）。光触媒ガラスとは表面に光触媒層が形成されたパネルをいう。光触媒層とは、光触媒活性物質を含む層をいう。光触媒活性物質とは光を照射することにより触媒作用を示す物質をいい、一例としては酸化チタン（ＴｉＯ２）又は酸化タングステンである。例えば酸化チタンは、紫外線を吸収することにより、酸化還元作用及び超親水作用を示す。酸化還元作用は、有害物質の処理、例えば殺菌処理という結果をもたらす。また、超親水作用は、パネル表面への水滴の付着及び油性の汚れの定着を防止するという作用、いわゆるセルフクリーニング作用をもたらす。なお後述するように額縁１はその内部を空気が循環する構造を有するが、「パネル」とはその循環する空気によって形状が変化しない程度の剛性を有する構造体をいい、フィルムのように循環する空気にはためいたりなびいたりするような剛性の低い構造体は含まない。
【００２０】
図２は、額縁１の断面構造を例示する図である。なおここでは、シート上の部材を厚く図示するなど、複数の要素の相対的なサイズは実物とは異なっている。図２は、パネル１２の表面の法線に平行でありかつ額縁１の使用状態における横方向の中央を通る面で切った断面を示す。作品９自体は額縁１の構成要素ではないが、ここでは説明のため作品９も併せて図示する。なお額縁１において作品９を鑑賞する者が位置する側（図２の左側）を正面といい、設置面側（図２の右側）を背面という。
【００２１】
額縁１は、フレーム１１及びパネル１２に加え、裏板１３、支持体１４、光源１５、送風機１６、開口１７、及び開口１８を有する。パネル１２は、ガラス層１２１及び光触媒層１２２を有する。ガラス層１２１はパネル１２の本体部分である。光触媒層１２２はガラス層１２１の表面に形成される。この例において、光触媒層１２２は、ガラス層１２１の正面側に形成される。裏板１３は、フレーム１１の背面においてフレーム１１及び他の構造体を支持する。裏板１３は、金属、樹脂、木材、又はこれらの複合材料により形成される。裏板１３は、ネジ又はラッチ等の固定具を用いてフレーム１１に固定される。フレーム１１と裏板１３とを総称して外装部材という。支持体１４は、パネル１２及び作品９を支持する。一例において、支持体１４は溝１４１及び溝１４２を有する。支持体１４は、溝１４１にパネル１２を、溝１４２に作品９を、それぞれ挟むことによりパネル１２及び作品９を支持する。
【００２２】
光源１５は、光触媒効果（又は光触媒機能）を発揮させるための光、例えば紫外線を照射する装置である。光源１５は、光源１５１、光源１５２、及び光源１５３を有する。光源１５１は、作品９の背面に光を照射するための装置である。この例において、作品９の背面には光触媒層９２が形成されている（すなわち作品９は光触媒層を有する）。光源１５１は、図２の断面において支持体１４よりも背面側、かつ裏板１３よりも表面側に設置される。光源１５１の光軸は作品９の背面を向く。光源１５２及び光源１５３は、パネル１２の表面に光を照射するための装置である。光源１５２及び光源１５３は、支持体１４よりも表面側に設置される。この例において、光源１５２及び光源１５３はフレーム１１の裏に設置される。光源１５２は開口１７の近傍に、光源１５３は開口１８の近傍に、それぞれ設置される。光源１５１、光源１５２、及び光源１５３は、それぞれ、紫外線ＬＥＤ又は紫外線ランプである。
【００２３】
送風機１６は、フレーム１１の内側かつパネル１２の表面を通る経路Ｃ１（循環経路の一例）に沿って空気を流すための装置である。この例において、経路Ｃ１は、開口１７においてフレーム１１の外から吸入した空気を、作品９の背面を通って開口１８に導く経路である。すなわち、経路Ｃ１は、開口１７（吸気口の一例）から開口１８（排気口の一例）までフレーム１１の内側かつ作品９（又はフラットパネルディスプレイ）の背面側から作品９（又はフラットパネルディスプレイ）の正面側に向かって循環させる経路の一例である。こうして、フレーム１１の外から吸入した空気はフレーム１１内を循環した後、フレーム１１の外に排気される。送風機１６は外部電源からの電力供給を受けて動作するものであってもよいし、内蔵電池から電力供給を受けて動作するものであってもよい。なお経路Ｃ１の向きを設計するため、フレーム１１の内周面に溝等の表面形状を形成したり、送風機１６を開口１８側に傾けて設置したりしてもよい。
【００２４】
開口１７及び１８は、経路Ｃ１を形成するため（すなわちフレーム１１の内外で空気を循環させるため）にフレーム１１に設けられた開口、より詳細には、フレーム１１と支持体１４との間の空隙である。開口１７は吸気口に相当し、開口１８は排気口に相当する。この例において、開口１７及び開口１８はいずれも、使用状態において作品９よりも正面側に（すなわち鑑賞者側に）位置する。
【００２５】
図３は、開口１７及び開口１８の配置を例示する模式図である。図３は、図２のＩＩＩ−ＩＩＩ断面、すなわち額縁１をパネル１２に対して平行であり、パネル１２よりも正面側であり、かつ支持体１４と交わる断面で切断した図である。この例において、フレーム１１を使用状態において正面から見たときに作品９の下部に相当する位置に開口１７が、上部に相当する位置に開口１８が、それぞれ設けられている。作品９の側部に相当する位置には開口は設けられておらず、支持体１４がフレーム１１の裏面まで達している。支持体１４はフレーム１１に固定される。なおこの例において、開口１７及び開口１８は、開口以外の部分と比較してその面積が小さい。なお図３で示す開口１７及び開口１８は広義の開口であり、フレーム１１と支持体１４との空隙を意味する。狭義の開口はフレーム１１の端部と支持体１４の端部との空隙を意味する。この例において額縁１は、例えば壁にかけて用いられる。
【００２６】
この例において、開口１７及び開口１８はいずれも、使用状態において額縁１を正面から見たときに隠れる位置に形成されている。「使用状態において額縁１を正面から見たときに隠れる」とは、額縁１を正面から見たときにフレーム１１自体の開口（フレーム１１本来の開口、すなわち作品９を観賞するための開口）以外の開口が見えないことをいう。より好ましくは、額縁１を正面から見たときに支持体１４がフレーム１１に隠れて見えない（したがって、狭義の開口であるフレーム１１の端部と支持体１４の端部との空隙も見えない）ことをいう。なお額縁１を正面から見たときに支持体１４が一部見えている場合であっても、フレーム１１本来の、作品９を観賞するための開口以外の開口は見えないので、開口１７及び開口１８はいずれも使用状態において額縁１を正面から見たときに隠れる位置に形成されていると言える。このように、開口１７及び開口１８がいずれも使用状態において額縁１を正面から見たときに隠れる位置に形成されていることにより、作品を展示する用に供するための外観を保ちつつ（すなわち額縁１の見栄えが良い状態を保ちつつ）空気の循環経路をより長くすることができる。
【００２７】
使用状態において額縁１を正面から見たときに隠れない位置（すなわち額縁１を正面から見たときに見える位置）とは、フレーム１１本来の、作品９を観賞するための開口から分離された位置であって、正面から見える位置をいう。例えば、フレーム１１の正面に独立して形成された吸気用又は排気用の開口は、使用状態において額縁１を正面から見たときに隠れない位置に形成されていると言える。
【００２８】
再び図２を参照する。この例において、作品９は、シート９１及び光触媒層９２を有する。シート９１は、光触媒層９２の塗布に耐えられる材料、例えば炭酸カルシウムベースの材料（一例としては、ＬＩＭＥＸ（登録商標））で形成されたシートを有する。なおシート９１の材料は炭酸カルシウムベースのものに限定されない。一般的な紙又は樹脂であってもよい。シート９１の表面には絵画又は文字等の視覚コンテンツが形成される。光触媒層９２はシート９１の裏面に形成される。なお、シート９１の表面に視覚コンテンツが形成された後で、シート９１の表面にも光触媒層が形成されてもよい。
【００２９】
このシートに形成される視覚コンテンツは、例えば、本願の出願人らが開発したＤＴＩＰ（例えば、特許第６７０８８６２号参照）を用いてデジタルデータ化された絵画であってもよい。ＤＴＩＰによれば、絵画表面の質感（又は立体感）を、平面上にプリンターで形成した画像において再現することができる。
【００３０】
なお、作品９に代えて、又は加えて、フラットパネルディスプレイ（例えばＬＣＤ）を額縁１に収容してもよい。上述のＤＴＩＰによれば、シート上の媒体（例えば紙）にインク又は顔料で形成された画像だけでなく、コンピュータディスプレイに表示される画像においても絵画の質感を再現することができる。
【００３１】
経路Ｃ１に沿って空気の流れを説明する。額縁１近傍の空気は、開口１７からフレーム１１内に吸い込まれる。開口１７の近傍には光源１５２が設けられている。光源１５２から光照射を受けたパネル１２（詳細には光触媒層１２２）は、光触媒機能を発揮し、吸入した空気を浄化する。開口１７から吸入された空気は、作品９の裏面に沿ってフレーム１１内の下部から上部に向かって流れていく。このとき、作品９の裏面は光源１５１からの光照射により光触媒機能を発揮し、流れていく空気を浄化する。作品９の裏面に沿って流れる空気はフレーム１１の上部で折り返し、パネル１２の表面に沿って下に流れる。フレーム１１の上部から流れる空気は開口１８からフレーム１１の外に排気される。開口１８の近傍には光源１５２が設けられている。光源１５２から光照射を受けたパネル１２は、光触媒機能を発揮し、排気される空気を浄化する。
【００３２】
このように本実施形態によれば、フレーム１１内を流れる空気を、作品９の裏面を含む長い経路Ｃ１において繰り返し光触媒機能により浄化しながら流すことができる。
【００３３】
２．第２実施形態
図４は、第２実施形態に係る額縁２の断面構造を例示する図である。額縁２は、フレーム２１、パネル２２（光触媒パネルの別の一例）、および裏板２３を有する。額縁２において、フレーム２１、パネル２２、および裏板２３を総称して外装部材という。図４は、パネル２２の表面の法線に平行でありかつ額縁２の使用状態における横方向の中央を通る面で切った断面を示す。作品９自体は額縁２の構成要素ではないが、ここでは説明のため作品９も併せて図示する。額縁２は、さらに、裏板２３、支持体２４、光源２５、送風機２６、開口２７、及び開口２８を有する。この例において額縁２は、壁にかけて用いられるのではなく、床又は台の上に立てて用いられる、自立型の額縁である。
【００３４】
この例においてフレーム２１は正面側に溝２１１を有する。フレーム２１は、溝２１１にパネル２２を挟み込むことによりパネル２２を支持する。裏板２３は、フレーム２１の背面においてフレーム２１及び他の構造体を支持する。支持体２４は、作品９を支持する。一例において、支持体２４は溝２４１を有する。支持体２４は、溝２４１に作品９を挟み込むことにより作品９を支持する。
【００３５】
光源２５は、光触媒機能を発揮させるための光を照射する装置である。光源２５は、光源２５１及び光源２５２を有する。光源２５１は、作品９の背面に紫外線を照射するための装置である。この例において、作品９の背面には光触媒層が形成されている。光源２５１は、図４の断面において支持体２４よりも背面側、かつ裏板２３よりも表面側に設置される。光源２５１の光軸は作品９の背面を向く。光源２５２は、作品９に可視光を照射するための装置である。光源２５２は、支持体２４よりも表面側に設置される。この例において、光源２５２はフレーム２１の裏に設置される。光源２５１及び光源２５２は、それぞれ、ＬＥＤ又はランプである。
【００３６】
送風機２６は、フレーム２１の内側かつパネル２２の表面を通る経路Ｃ２（循環経路の一例）に沿って空気を流すための装置である。この例において、経路Ｃ２は、開口２７においてフレーム２１の外から吸入した空気を、作品９の背面を通って開口２８に導く経路である。すなわち、経路Ｃ２は、開口２７（吸気口の一例）から開口２８（排気口の一例）までフレーム２１の内側かつ作品９（又はフラットパネルディスプレイ）の背面側から作品９（又はフラットパネルディスプレイ）の正面側に向かって循環させる経路の一例である。こうして、フレーム２１の外から吸入した空気はフレーム２１内を循環した後、フレーム２１の外に排気される。なお経路Ｃ２の向きを設計するため、フレーム２１の内周面に溝等の表面形状を形成したり、送風機２６を開口２８側に傾けて設置したりしてもよい。
【００３７】
開口２７及び２８は、経路Ｃ２を形成するためフレーム２１に設けられた開口である。開口２７は吸気口に相当し、開口２８は排気口に相当する。この例において、開口２７は裏板２３に設けられ、開口２８はフレーム２１において作品９よりも前に位置する。額縁１において開口１７及び開口１８がパネル１２よりも正面側に形成されるのに対し、額縁２において開口２７及び開口２８はいずれもパネル２２よりも背面側に形成される。
【００３８】
図５は、開口２８の配置を例示する模式図である。図５は、図４のＶ−Ｖ断面、すなわち額縁２をパネル２２に対して平行であり、パネル１２よりも背面側かつ作品９よりも正面側であり、かつ開口２８を通る断面で切断した図である。この例において、フレーム２１を使用状態において正面から見たときに、送風機２６と重なる位置に開口２７が設けられている。また、作品９の下部に相当する位置に開口２８が設けられている。なおこの例において、開口２７及び開口２８は、開口以外の部分と比較してその面積が小さい。作品９の側部に相当する位置には開口は設けられておらず、支持体２４がフレーム２１の裏面まで達している。支持体２４はフレーム２１に固定される。
【００３９】
経路Ｃ２に沿って空気の流れを説明する。額縁２近傍の空気は、裏板２３において開口２７からフレーム２１内に吸い込まれる。開口２７から吸入された空気は、作品９の裏面に沿ってフレーム２１内の中央から上部に向かって流れていく。このとき、作品９の裏面は光源２５１からの光照射により光触媒機能を発揮し、流れていく空気を浄化する。作品９の裏面に沿って流れる空気はフレーム２１の上部で折り返し、パネル２２の表面に沿って下に流れる。光源２５２及び外光による光照射を受けたパネル１２は、光触媒機能を発揮し、流れていく空気を浄化する。なおこの例ではガラス層１２１の背面側（すなわち作品９側）に光触媒層１２２が形成されるが、ガラス層１２１の両側（すなわち正面側及び背面側）に光触媒層１２２が形成されてもよいし、ガラス層１２１の正面側のみに光触媒層１２２が形成されてもよい。フレーム２１の上部から流れる空気は開口２８からフレーム２１の外に排気される。
【００４０】
このように本実施形態によれば、フレーム１１内を流れる空気を、作品９の裏面を含む長い経路Ｃ２において繰り返し光触媒機能により浄化しながら流すことができる。この例においては、額縁２の裏面から吸入した空気を額縁２の正面から排気することができる。
【００４１】
なお、額縁１を正面から見たときに、開口２７は作品９の陰に隠れ、開口２８はフレーム１１の下面に形成される。すなわち、第２実施形態においても、開口２７及び開口２８は使用状態において額縁１を正面から見たときに隠れる位置に形成されていると言える。
【００４２】
３．第３実施形態
図６は、第３実施形態に係る展示設備３の外観を例示する図である。展示設備３は、視覚コンテンツを展示する設備である。展示設備３は、例えば、美術館、博物館、水族館、展示ホール、又は学校において視覚コンテンツを展示するために用いられる。展示設備３は、額縁１又は額縁２、及びこれらの額縁を収容する筐体３１を有する。筐体３１は内部が空洞になっており、開口３２、開口３３、及び開口３４を有する。筐体３１の内部には３つの額縁１又は額縁２が、作品９の視覚コンテンツが展示設備３の正面を向くように設置される。筐体３１において、開口３２、開口３３、及び開口３４は、額縁１の作品９又はフラットパネルディスプレイに相当する部分に形成される。
【００４３】
展示設備３は、開口３２の上部及び開口３４の上部にそれぞれ噴霧装置３５（消毒液噴霧装置の一例）を有する。噴霧装置３５は液体を噴霧する装置であり、この例においては消毒液を噴霧する。消毒液は、例えば次亜塩素酸水又はアルコール消毒液である。消毒液の噴霧装置を併用することにより、より除菌効果を高めることができる。この場合において、噴霧装置３５は、額縁１又は額縁２の（吸気口よりも）排気口の近傍に設置されてもよい。
【００４４】
この例において、噴霧装置３５は、観覧者の挙動に応じて動作状態を変更してもよい。例えば、展示設備３と観覧者との距離がしきい値を超えている場合、噴霧装置３５は、液体を噴霧する。展示設備３と観覧者との距離がしきい値以下である場合、噴霧装置３５は、液体の噴霧を停止するか、又は噴霧する量を減らしてもよい。あるいは、噴霧装置３５は、観覧者と展示設備３との距離がしきい値以下である状態からしきい値を超えた状態に切り替わったことを契機として所定の時間、液体を噴霧する。それ以外の場合、噴霧装置３５は液体を噴霧しない。これらの場合においては、展示設備３は、人感センサー及び人感センサーの出力に応じて噴霧装置３５を制御する制御装置を有する。
【００４５】
展示設備３は、操作パネル３６を有する。操作パネル３６は、特に額縁１にフラットパネルディスプレイが収容される場合において、そのフラットパネルディスプレイに映像信号を出力するコンピュータ装置（図示略。このコンピュータ装置は例えば筐体３１内に設置される。）に対し指示を入力する装置である。視覚コンテンツの観覧者は、操作パネル３６を介して、例えば表示される絵画を別の絵画に切り替えたり、絵画の一部を拡大したり、拡大した部分を移動したりすることができる。
【００４６】
４．変形例
本発明は上述の実施形態に限定されるものではなく種々の変形実施が可能である。以下、変形例をいくつか説明する。以下の変形例に記載した事項のうち２つ以上のものが組み合わせて用いられてもよい。
【００４７】
額縁１及び額縁２において、各構成要素の形状、サイズ、及び配置はあくまで一例であり、実施形態において例示したものに限定されない。例えば、額縁１において、開口１７及び開口１８の少なくとも一方は、フレーム１１の背面側又は裏板１３に形成されてもよい。あるいは、開口１７及び開口１８は、パネル１２の上下方向に代えて、又は加えて、左右方向に形成されてもよい。例えば、額縁１においてフレーム１１が２つの開口１７及び１つの開口１８を有し、開口１７は、フレーム１１においてパネル１２の左右に相当する位置に１つずつ、開口１８はパネル１２の上部に相当する位置に１つ、形成されてもよい。また額縁１において、開口１７及び開口１８はフレーム１１と支持体１４との間の空隙により形成されるものに限定されない。フレーム１１本来の、作品９を観賞するための開口とは独立した開口をフレーム１１の上面、下面、又は側面に形成し、これを吸気口又は排気口として用いてもよい。また、吸気口及び排気口の数も実施形態において例示したものに限定されない。例えば、額縁１において開口１８がフレーム１１においてパネル１２の左右に相当する位置に１つずつ（合計２つ）形成されてもよい。額縁２においても同様である。例えば、額縁２において開口２８がフレーム２１においてパネル２２の上下左右に相当する位置に１つずつ（合計４つ）形成されてもよい。
【００４８】
額縁１において、開口１７及び開口１８はいずれもパネル１２よりも正面側に形成されたが、開口１７及び開口１８の少なくとも一方、又はこれら以外の第３の開口がパネル１２よりも背面側に形成されてもよい。
【００４９】
額縁２において、開口２７及び開口２８はいずれもパネル１２よりも背面側に形成されたが、開口２７及び開口２８の少なくとも一方、又はこれら以外の第３の開口がパネル２２よりも正面側に形成されてもよい。あるいは、開口２７及び開口２８の少なくとも一方、又はこれら以外の第３の開口が、パネル２２に形成されてもよい。また、空気の流れは使用状態において上から下に流れるものに限定されず、下から上、横から上、上から横、横から下、下から横、右から左、又は左から右など、どのような向きであってもよい。
【００５０】
実施形態において作品９が光触媒層９２を有する例を説明したが、作品９は光触媒層９２を有さず、作品９をフレームに収容する際、作品９の裏に光触媒層を有するシートを挟んでもよい。シート９１が炭酸カルシウムベースの材料で形成される場合にはシート９１に絵画が形成され（すなわち絵画が描かれ）、絵画が形成された面にさらに光触媒層９２が形成されてもよい。シート９１が紙で形成される場合にはシート９１に絵画が形成され（すなわち絵画が描かれ）、絵画が形成された面には光触媒層９２が形成されず、作品９とは別体の、光触媒層を有するシートが絵画が形成された面側に挟まれてもよい。
【００５１】
光触媒層が形成される領域は実施形態において例示したものに限定されない。例えば、フレーム１１（又はフレーム２１）及び裏板１３（又は裏板２３）の少なくとも一方の内周面に光触媒層を形成してもよい。この場合において特に、フレーム１１（又はフレーム２１）のうち、作品９又はフラットパネルディスプレイの表示面と対向する面又は領域に光触媒層が形成されてもよい。
【００５２】
送風機１６及び送風機２６の数及び取り付け位置はあくまで例示である。設計された経路に沿って空気を流すためのものであれば、送風機１６及び送風機２６の数及び取り付け位置はどのように設計されてもよい。
【００５３】
第３実施形態において額縁１又は額縁２を取り付けた展示設備３において噴霧装置３５を設ける例を説明したが、額縁１又は額縁２自身が噴霧装置を有してもよい。この場合において、噴霧装置３５はフレーム１１又はフレーム２１に内蔵されてもよい。
【００５４】
パネル１２はガラスベースの材料で形成されるものに限定されず、樹脂ベースの材料で形成されるものであってもよい。
【００５５】
各装置を構成する要素の数は実施形態において例示したものに限定されない。例えば、額縁１は４台以上又は２台以下の光源１５を有してもよい。額縁２についても同様である。また、光源１５及び光源２５は紫外線を照射するものに限定されず、可視光を照射するものであってもよい。
【符号の説明】
【００５６】
１…額縁、２…額縁、３…展示設備、５…額縁、９…作品、１１…フレーム、１２…パネル、１３…裏板、１４…支持体、１５…光源、１６…送風機、１７…開口、１８…開口、２１…フレーム、２２…パネル、２３…裏板、２４…支持体、２５…光源、２６…送風機、２７…開口、２８…開口、３１…筐体、３２…開口、３３…開口、３４…開口、３５…噴霧装置、３６…操作パネル、９１…シート、９２…光触媒層、１４１…溝、１４２…溝、１５１…光源、１５２…光源、１５３…光源、２１１…溝、２４１…溝、２５１…光源、２５２…光源、Ｃ１…経路、Ｃ２…経路
【要約】
【課題】額縁における空気清浄作用を改善する。
【解決手段】一実施形態に係る額縁１は、額縁のフレーム１１と、パネル１２と、光触媒パネルに光触媒効果を発揮させる光を照射する光源１５と、フレーム１１の内側かつパネル１２の表面を通る経路に沿って空気を流すための送風機１６と、フレーム１１を含む外装部材の内外で空気を循環させるための開口１７とを有する。
【選択図】図２【図１】
0006931868.tif 000002
【図２】
0006931868.tif 000003
【図３】
0006931868.tif 000004
【図４】
0006931868.tif 000005
【図５】
0006931868.tif 000006
【図６】
0006931868.tif 000007